(57)【要約】【課題】ピアスのシャフトにワンタッチで取り付けでき、取付位置を広範囲にわたって調節できるとともに、長期間安心して使用できるピアスキャッチを提供する。【解決手段】ピアスキャッチ１１は、ピアス１のシャフト２に着脱されるサージカルステンレス製のボディ１２と、ボディ１２の内側に保持されるシリコンゴム製のＯリング１３とを備える。Ｏリング１３にシャフト２と密接する大きさの中心穴を形成し、ボディ１２に中心穴よりも大径の貫通穴を形成する。ボディ１２およびＯリング１３をシャフト２にスライド可能に取り付けることで、ピアスキャッチ１１の取付位置をシャフト２の全長にわたって容易に調節することができる。【選択図】図１
0003214237.tif 000002
【実用新案登録請求の範囲】
【請求項１】
ピアスのシャフトに着脱されるボディを備え、ボディの内側にＯリングが保持され、Ｏリングがシャフトに密接する大きさの中心穴を備え、ボディに中心穴よりも大径の貫通穴が形成され、ボディおよびＯリングがシャフトにスライド可能に取り付けられることを特徴とするピアスキャッチ。
【請求項２】
前記中心穴が貫通穴と同一軸線上に位置するように、Ｏリングがボディの内側に保持されている請求項１に記載のピアスキャッチ。
【考案の詳細な説明】
【技術分野】
【０００１】
本考案は、ピアスのシャフトに取り付けられるピアスキャッチに関する。
【背景技術】
【０００２】
従来、図８に示すようなピアスキャッチ５１が知られている。このピアスキャッチ５１は、ピアス５２のシャフト５３に着脱されるボディ５４を備え、ボディ５４にネジ穴５５が形成されている。そして、ネジ穴５５をシャフト５３のネジ５６に締め付けることによって、ピアスキャッチ５１をシャフト５３に取り付け、シャフト５３を介してピアス５２を耳たぶＥに装着するようになっている。
【０００３】
しかし、ネジを用いた取付方式によると、ピアスキャッチ５１の着脱に手間がかかるうえ、ネジが緩んでピアスキャッチ５１が脱落する可能性もあった。また、ピアス５２の大きさや形状に応じてネジの規格またはシャフトの太さが相違するため、多種類のピアスキャッチ５１を用意し、これらを交換してシャフトに取り付ける必要もあった。
【０００４】
こうした点に鑑み、従来、弾性部材を用いてピアスキャッチを取り付ける技術が提案されている。例えば、特許文献１には、ピアスキャッチのボディに弾性部材を埋設し、弾性部材に底が閉じた穴を形成し、この穴にシャフトを差し込んでピアスキャッチを取り付ける技術が記載されている。特許文献２には、ボディの貫通穴に弾性スリーブを挿入し、弾性スリーブの中心穴をシャフトに差し込んで取り付ける技術が記載されている。
【先行技術文献】
【特許文献】
【０００５】
【特許文献１】実開平７−３９５２２号公報
【特許文献２】特開２００８−８６７３５号公報
【考案の概要】
【考案が解決しようとする課題】
【０００６】
ところが、特許文献１のピアスキャッチによると、弾性部材の穴が閉じているため、ボディをシャフトに貫通させることができず、シャフト上におけるピアスキャッチの位置調節範囲が制限されるという問題点があった。また、特許文献２のピアスキャッチによると、スリーブがボディの貫通孔と同じ直径で形成されているため、長期間使用するとボディがスリーブから抜けやすくなり、貴重な宝石類を紛失する不安があった。
【０００７】
そこで、本考案の目的は、ピアスシャフトにワンタッチで取り付けでき、取付位置を広範囲にわたって調節できるとともに、長期間安心して使用できるピアスキャッチを提供することにある。
【課題を解決するための手段】
【０００８】
上記課題を解決するために、本考案のピアスキャッチは、ピアスのシャフトに着脱されるボディを備え、ボディの内側にＯリングが保持され、Ｏリングがシャフトに密接する大きさの中心穴を備え、ボディに中心穴よりも大径の貫通穴が形成され、ボディおよびＯリングがシャフトにスライド可能に取り付けられることを特徴とする。
【０００９】
本考案の好ましい実施形態では、中心穴が貫通穴と同一軸線上に位置するように、Ｏリングがボディの内側に保持される。Ｏリングとしては、耐熱・耐水・耐薬品性に優れる点で、シリコンゴム製のものを好ましく使用できる。また、ボディは、金属アレルギーを予防できる点で、サージカルステンレス(ＪＩＳ規格ＳＵＳ３１６)製のものが望ましい。
【考案の効果】
【００１０】
本考案のピアスキャッチによれば、ボディの内側にＯリングを保持し、Ｏリングの中心穴をシャフトに密接させ、中心穴よりも大径の貫通穴をボディに形成し、ボディとＯリングをピアスシャフト上にスライド可能に支持したので、ボディをシャフトにワンタッチで取り付けることができ、取付位置をシャフトのほぼ全長にわたって容易に調節できるとともに、ピアスを紛失するおそれがなく、長期間安心して使用できるという効果がある。
【図面の簡単な説明】
【００１１】
【図１】本考案の一実施形態を示すピアスキャッチの外観図である。
【図２】ピアスキャッチの構成要素を示す分解斜視図である。
【図３】ピアスキャッチの内部構造を示す断面図である。
【図４】シャフトの太さに応じたピアスキャッチの作用を示す断面図である。
【図５】シャフトの長さに応じたピアスキャッチの作用を示す外観図である。
【図６】ピアスキャッチの変形例を示す（ａ）外観図、（ｂ）断面図である。
【図７】ピアスキャッチの別の変形例を示す（ａ）外観図、（ｂ）断面図である。
【図８】従来のピアスキャッチを示す断面図である。
【考案を実施するための形態】
【００１２】
以下、本考案の一実施形態を図面に基づいて説明する。図１に示すように、ピアス１は、例えば耳たぶＥに挿通されるシャフト２を備え、シャフト２に取り付けられたピアスキャッチ１１によって着用者の耳に装着される。
【００１３】
ピアス１およびシャフト２は、特定の形状や大きさに限定されず、各種の市販品を使用できる。また、図１に示すシャフト２は先端外周に雄ネジ３を備えているが、内周に雌ネジを備えたシャフト、またはネジを備えないシャフトも使用可能である。
【００１４】
図２に示すように、ピアスキャッチ１１は、シャフト２に着脱される球形のボディ１２と、ボディ１２の内側に保持されるＯリング１３とを備えている。ボディ１２は、ＳＵＳ３１６製の２つの半球体１４,１５を接合して構成され、ボディ１２の外面つまり装飾面は、接合ラインが現れないように研磨等によって表面処理されている。
【００１５】
図３に示すように、各半球体１４,１５には、貫通穴１６，１７がボディ１２の軸線（中心線）１２ａ上に位置するように形成され、ボディ１２の取付時にシャフト２が隙間を介して貫通穴１６，１７を貫通する。各半球体１４,１５の相対面にはそれぞれ凹部１８が形成され、２つの凹部１８からなる溝にＯリング１３がシャフト２の軸線方向へ移動不能に保持されている。
【００１６】
Ｏリング１３は、シリコンゴムで形成され、その中心穴１９が貫通穴１６，１７と同一軸線上に位置するように、凹部１８によってボディ１２の内側に保持されている。中心穴１９はシャフト２に密接する大きさに形成され、貫通穴１６，１７が中心穴１９よりも大径に形成されている。そして、ピアスキャッチ１１の使用時に、ボディ１２とＯリング１３が一体にスライドするようにシャフト２に取り付けられる。
【００１７】
上記のように構成されたピアスキャッチ１１によれば、ボディ１２の貫通孔１６，１７とＯリング１３の中心穴１９が同一軸線状に整列されているので、使用に際し、貫通孔１６，１７をシャフト２に挿入するだけのワンタッチ操作で、ピアスキャッチ１１をシャフト２に素早く取り付けることができる。また、図４（ａ）〜（ｃ）に示すように、シャフト２の太さが変化した場合は、その直径（Ｄ１＜Ｄ２＜Ｄ３）に応じてＯリング１３が弾性的に変形するため、一つのピアスキャッチ１１を大きさや形状の異なる多種類のピアス１のシャフト２に取り付けることができ、たいへん経済的である。
【００１８】
さらに、ボディ１２とＯリング１３がシャフト２上にスライド可能に支持されているので、ピアスキャッチ１１の取付位置をピアス１の着用感やシャフト２の長さに応じて容易に調節することができる。例えば、図５（ａ）に示すように、ボディ１２をピアス１に接近させて取り付けることで、使用者はタイトな着用感が得られる。また、図５（ｂ）に示すように、シャフト２が短い場合には、その先端側にボディ１２を取り付けることで、薄い耳たぶＥでも耳の軟骨部分でも、ピアス１を快適に着用することができる。
【００１９】
特に、この実施形態のピアスキャッチ１１によれば、図３に示すように、Ｏリング１３の全体がボディ１２によって被覆されているため、装飾品として優れた外観を提供することができる。しかも、Ｏリング１３はボディ１２の内側で半球体１４の凹部１８にしっかりと保持されているので、ボディ１２とＯリング１３の分離を防止し、貴重なピアス１を紛失することなく、ピアスキャッチ１１を長期間安心して使用することができる。
【００２０】
なお、本考案は、上記実施形態に限定されるものはなく、例えば、以下に例示するように、考案の趣旨を逸脱しない範囲で、各部の形状や構成を任意に変更して実施することも可能である。
（１）図６（ａ）に示すように、ピアスキャッチ２１のボディ２２を一部が欠けた部分的な球形に形成すること。そして、図６（ｂ）に示すように、ボディ２２を構成する２つの分割体２３，２４にそれぞれ凹部２５，２６を形成し、Ｏリング１３を凹部２５，２６によって位置決めした状態で分割体２３，２４により挟み付ける。こうすれば、Ｏリング１３をボディ２２の内側で動かないようにしっかりと保持することができる。
【００２１】
（２）図７（ａ）,（ｂ）に示すように、ボディ３２を片面が開放した半球形に形成し、ボディ３２の内側にＯリング１３を保持する凹部３３と、Ｏリング１３の脱落を阻止する突縁３４とを形成する。そして、Ｏリング１３が外部から見えないように、ボディ３２をその開放面３２ａが耳たぶＥを向くようにシャフト２に貫通して、ピアスキャッチ３１を取り付ける。こうすれば、ボディ３２を一つの部品で安価に製作することができる。
【符号の説明】
【００２２】
１    ピアス
２    シャフト
１１    ピアスキャッチ
１２    ボディ
１３    Ｏリング
１６    貫通穴
１７    貫通穴
１８    凹部
１９    中心穴
【図１】
0003214237.tif 000003
【図２】
0003214237.tif 000004
【図３】
0003214237.tif 000005
【図４】
0003214237.tif 000006
【図５】
0003214237.tif 000007
【図６】
0003214237.tif 000008
【図７】
0003214237.tif 000009
【図８】
0003214237.tif 000010